(57)【要約】【課題】  本発明は、地震等による揺れが発生しても、損傷や破損の少ないエレベータの三方枠を提供する。【解決手段】  第１の発明は、三方枠１の縦枠１１ａ，１１ｂの下端部に免震部材１５１，１５２を設け、免震部材１５１，１５２を介して床５に立設させる。  また第２の発明は、三方枠１の枠体（上枠１２，縦枠１１ａ，１１ｂ）の外側板に、側壁２の端縁部が嵌め込まれる切り欠き部１２１ｂ，１１１ｂを設け、枠体内で側壁２の端縁部を保持する樋部材１２２，１１２と枠体との間に免震部材１２５１，１２５２、１１６１，１１６２を介装する。  本発明によれば、免震部材を介在させたことにより、地震による揺れがあっても、三方枠自体の揺れの軽減と、三方枠と連結された側壁との間のずれ量の差分が吸収緩和するので、たとえ側壁２にガラス板が採用されてもそのガラス板の損傷や破損を回避できる。【選択図】      図３
2005247448.tif 000002
【特許請求の範囲】
【請求項１】
上枠と左右の縦枠とで構成され、エレベータの乗場出入口に据え付けられるエレベータの三方枠において、
前記左右の縦枠は、免震部材を介して、前記乗場出入口の床構造体に立設されることを特徴とするエレベータの三方枠。
【請求項２】
エレベータ乗場階側壁の端縁部が嵌め込まれる切り欠き部を外側板に設けた枠体と、
この枠体内に配置され、前記切り欠け部から嵌め込まれた前記乗場側壁の端縁部を保持する保持部材と、
この保持部材と前記枠体との間に介装された他の免震部材と
を具備することを特徴とするエレベータの三方枠。
【請求項３】
前記枠体は、縦枠または上枠のうちの少なくともいずれか一方であることを特徴とする請求項２に記載のエレベータの三方枠。
【請求項４】
前記枠体は、下端部において、免震部材を介して前記エレベータ乗場階の床構造体に連結されることを特徴とする請求項２または請求項３に記載のエレベータの三方枠。
【発明の詳細な説明】
【技術分野】
【０００１】
本発明は、乗場階の出入り口に設置されるエレベータの三方枠の改良に関する。
【背景技術】
【０００２】
エレベータが設置される建物の中には、外壁を合わせガラス等の強化ガラス板で構成し、建物内からそのガラス板越しに外の景観を見通しが可能な、開放的なビルが見られるようになってきた。
【０００３】
エレベータの乗場出入口の側壁にガラス板を採用するとき、三方枠の外側枠体に成型により溝部を形成し、その溝部へのガラス板の端縁部の差し込みにより、ガラス板の側壁と三方枠とを連結することができる。
【０００４】
図８は、エレベータの三方枠が、乗場出入口に据え付けられた状態を示した外観図で、図９は図８のＸ−Ｘ矢視断面図である。
【０００５】
図８に示したように、従来のエレベータの三方枠１は、左右の縦枠１１ａ，１１ｂと上枠１２とで構成され、ガラス板からなる左右及び上方の側壁２の端縁部を嵌め込んで据え付けられる。
【０００６】
図９は、上枠１２の断面を示したもので、三方枠１とともに出入口装置を構成するヘッダーケース３は、三方枠１の上枠１２に取り付けられている。
【０００７】
なお、上枠１２は、化粧板でもある枠体が、その内側に配置された長尺な梁に支持固定されて構成される。その点、左右の縦枠１１ａ，１１ｂも同様であるが、図９ではその三方枠１の枠体を支持する梁を省略して示している。
【０００８】
図９に示したように、上枠１２の外枠１２１は、成型により、ガラス板からなる側壁２の端縁部が差し込まれる断面Ｕ字状の溝部１２１ａが形成されている。
【０００９】
この溝部１２１ａと、溝部１２１ａに差し込まれた側壁２の端縁部との間は、図示のように、側壁２の先端部と溝部１２１ａの底部との間に、側壁２の端面を支持する受け台１３が、また差し込まれた側壁２の前後両側面と溝部１２１ａの側壁との間には、固定用のシール部材１４ａ，１４ｂがそれぞれ介挿されている。
【００１０】
図９は、上枠１２と側壁２との連結部分を示したものであるが、図８に示したように、左右の縦枠１１ａ，１１ｂと同じく側壁２との間の連結部分も、同様に成型により形成された溝部に側壁の端縁部が差し込まれ、受け台とシール部材によって同様に支持固定される。
【００１１】
なお、図８に示したように、三方枠１は、乗場ドア４やその敷居４ａとともにエレベータの出入口装置を構成し、三方枠１が据え付けられた乗場階の床５には、溝６ａを形成した幅木６が載置され、その幅木６の溝６ａにガラス板からなる側壁２が嵌め込まれる。
【発明の開示】
【発明が解決しようとする課題】
【００１２】
エレベータの三方枠は、従来、外側枠がＵ字状に成型されて溝部を形成し、その溝部内にガラス板からなる側壁の縁端部を差し込み固定するように構成されていた。
【００１３】
しかしながら、上記構成の三方枠の場合、もしも地震等が発生して、建物自体が大きく揺れ動くと、それに伴い三方枠も側壁も大きく揺れ動くが、建物の構造体と側壁や三方枠とは、もともと材質や、その大きさ形状及び構造が異なるから、建物全体が一様に揺れ動いたとしてもそれに伴う個々の動き量は互いに異なったものとなり、揺れの周期や変位量も相違する。
【００１４】
三方枠と側壁とが互いにその動き量が異なると、三方枠と側壁との間の連結部において両者の動き量の差異から軋みが発生し、側壁であるガラス板や三方枠が降伏点を超えて破損するので改善が要望されていた。
【００１５】
そこで、本発明は上記従来の課題を解決するためになされたもので、地震等による揺れにより、両者の動き量の差異が生じたとしても、建物の構造体と三方枠との間、三方枠と側壁との間での軋みや衝突の発生を回避ないしは軽減し、三方枠や側壁の損傷や破損を回避可能なエレベータの三方枠を提供することを目的とする。
【課題を解決するための手段】
【００１６】
第１の発明は、上枠と左右の縦枠とで構成され、エレベータの乗場出入口に据え付けられるエレベータの三方枠において、前記左右の縦枠は、免震部材を介して、前記乗場出入口の床構造体に立設されることを特徴とする。
【００１７】
第２の発明は、エレベータの三方枠において、エレベータ乗場階側壁の端縁部が嵌め込まれる切り欠き部を外側板に設けた枠体と、この枠体内に配置され、前記切り欠け部から嵌め込まれた前記乗場側壁の端縁部を保持する保持部材と、この保持部材と前記枠体との間に介装された他の免震部材とを具備することを特徴とする。
【発明の効果】
【００１８】
このように、第１の発明のエレベータの三方枠によれば、左右の縦枠は、免震部材を介して、乗場出入口の床構造体に立設されるので、特に縦方向の揺れが免震部材で吸収ないしは緩和され、揺れによる三方枠の損傷・破壊を回避できる。
【００１９】
第２の発明は、エレベータの三方枠において、枠体の外側板に、側壁の端縁部が嵌め込まれる切り欠き部を設け、その切り欠け部からその端縁部を保持する保持部材と枠体との間に他の免震部材を介装したので、他の免震部材は、揺れや振動による側壁の変形量と、同じくその揺れや振動による枠体の変形量との差分を吸収することができる。
【００２０】
従って、他の免震部材の存在により、側壁にガラス板が採用されたとしても、三方枠との間に軋みや衝突が発生するのを回避され、側壁を形成するガラス板や三方枠の損傷・破壊を回避できる。
【発明を実施するための最良の形態】
【００２１】
以下、本発明によるエレベータの三方枠の一実施例を図１ないし図７を参照して詳細に説明する。なお、図８及び図９に示した従来の構成と同一構成には同一符号を付して詳細な説明は省略する。
【００２２】
図１は、本発明のエレベータの三方枠の第１の実施例を示した正面図、図２は図１のＡ−Ａ矢視拡大断面図、図３は図１のＸ−Ｘ矢視断面図、図４は図１のＹ−Ｙ矢視断面図である。
【００２３】
図１において、エレベータの乗場出入口に据え付けられた三方枠１は、いずれも枠体からなる左右の縦枠１１ａ，１１ｂと上枠１２とで構成される。
【００２４】
また、三方枠１は、左右の縦枠１１ａ，１１ｂの下端部には、左縦枠１１ａ拡大断面を図２に示したように、第１の免震部材１５１，１５２を連結構成し、この第１の免震部材１５１，１５２が左右の縦枠１１ａ，１１ｂと床５の構造体との間にあって、地震等による建物の揺れが床構造体を介して縦枠１１ａ，１１ｂ及び上枠１２に伝達されるのを吸収緩和する。
【００２５】
左縦枠１１ａを載置した第１の免震部材１５１の拡大断面を図２に示したように、円柱状のゴム部材１５ａが複数個（この実施例では、８個）並設して構成されたもので、右縦枠１１ｂを載置する第１の免震部材１５２も同様に構成されている。
【００２６】
なお、第１の免震部材１５１，１５２のゴム部材１５ａは、積層ゴムで構成されてもよく、また他の弾性部材あるいはオイルダンパ等のダンパ構造を採用することができる。
【００２７】
また、この第１の実施例の三方枠１は、図１に示す上枠１２のＸ−Ｘ矢視拡大断面図を図３に示したように、側壁２を構成するガラス板と連結される上枠１２の上外枠１２１に、側壁２の板厚ｄより大きな幅Ｄの切り欠き部１２１ｂを設け、側壁２の端縁部がその切り欠き部１２１ｂから枠体内に差し込まれる。
【００２８】
差し込まれた側壁２の端縁部は、断面がＵ字状の溝を有する樋部材１２２に差し込まれ、側壁２の先端面は樋部材１２２の底部に載置された受け台１３に当接する。
【００２９】
また、差し込まれた側壁２の端縁部の前後両面（図示右左面）と樋部材１２２の内側面との間には、それぞれシール部材１４ａ，１４ｂが挟み込まれる。
【００３０】
上枠１２の枠体内には、溶接等により２つの取付金具１２５１，１２５２が固定され、２つの取付金具１２５１，１２５２と樋部材１２２における前後方向の外側面と上枠１２の枠体との間には、ゴム部材等からなる第２の免震部材１２６１，１２６２が接着されて連結されている。
【００３１】
ゴム等の弾性体からなる第２の免震部材１２６１，１２６２は、前後方向はもとより、上下左右方向に伸縮する。
【００３２】
従って、地震等による建物の揺れが床５の構造体を介して上枠１２及び側壁２に伝達されて揺れ、上枠１２の揺れとこの上枠１２に連結された側壁２の揺れとの間にずれが生じたとしても、第１の免震部材１５１，１５２に加えて、第２の免震部材１２６１，１２６２がその両者間のずれを吸収するので、相互の衝突や干渉を回避できる。
【００３３】
すなわち、図３において、上枠１２の枠体は、取付金具１２５１，１２５２に取り付けられた第２の免震部材１２６１，１２６２を介して、側壁２を支持する樋部材１２２に連結されたので、前後左右の水平方向はもとより上下（鉛直）方向の揺れは、第２の免震部材１２６１，１２６２によって吸収緩和され、側壁２がたとえガラス板で構成されたとしても、そのガラス板や上枠１２の損傷や破損を回避できる。
【００３４】
図４は、図１における左縦枠１１ａのＹ−Ｙ矢視拡大断面図である。
【００３５】
図４に示したように、側壁２を構成するガラス板と連結される縦枠１１の左外枠１１１に側壁２の板厚ｄより大きな幅Ｄの切り欠き部１１１ｂを設け、側壁２の端縁部はその切り欠き部１１１ｂから枠体内に差し込まれる。
【００３６】
差し込まれた側壁２の端縁部は、上枠１２と同様に、断面がＵ字状の溝を有する樋部材１１２に差し込まれ、側壁２の先端面は樋部材１１２の底部に載置された受け台１３に当接する。また、差し込まれた側壁２の端縁部の前後両面と樋部材１１２の内側面との間には、それぞれシール部材１４ａ，１４ｂが挟み込まれる。
【００３７】
樋部材１１２の前後方向の外側面と縦枠１１ａの枠体との間には、枠体内に溶接等により２つの取付金具１１５１，１１５２が固定され、その取付金具１１５１，１１５２と樋部材１１２との間には、ゴム部材等からなる第３の免震部材１１６１，１１６２が接着されて連結されている。ゴム等の弾性体からなる第３の免震部材１１６１，１１６２は、上下方向はもとより、前後左右に伸縮する。
【００３８】
従って、この第３の免震部材１１６１，１１６２は、三方枠１左方の側壁２と左縦枠１１ａとの間にあって、地震等による建物の揺れが床５の構造体及び第１の免震部材１５１，１５２を介して縦枠１１ａに伝達されて揺れ、左縦枠１１ａの揺れとこの左縦枠１１ａに連結された側壁２の揺れとの間にずれが生じたとしても、第３の免震部材１１６１，１１６２がその両者間のずれを吸収するので、相互の衝突あるいは干渉は回避される。
【００３９】
また、側壁２を支持する樋部材１１２に連結された第３の免震部材１１６１，１１６２は、前後左右の水平方向はもとより上下（鉛直）方向の揺れを吸収するので、たとえ側壁２がガラス板で構成されたとしても、そのガラス板や左縦枠１１ａの損傷や破損を回避できる。
【００４０】
図４は、左縦枠１１ａの構造及び機能について説明したが、右縦枠１１ｂは、図４に示した左縦枠１１ａの構造とは左右方向に対称形であり、その機能は左縦枠１１ａと同様であるので、説明は省略する。
【００４１】
図５は、図１に示した三方枠１の上枠１２が、その左端部において、左縦枠１１ａの上端部と連結される連結構造を示した分解図である。
【００４２】
図３及び図４にも示したように、上枠１２も左縦枠１１ａもいずれも枠体状をなしており、図５に示すように、上枠１２と左縦枠１１ａとの嵌め合わせでは、上枠１２に設けられた貫通孔１２７を貫通させたボルト１６が、左縦枠１１ａの上端部内側に取り付けられたＬ金具（ブラケット）１１７にねじ込み固定される。
【００４３】
図５は、上枠１２が、その左端部において、左縦枠１１ａの上端部と連結される連結構を示したものであるが、上枠１２が、その右端部において、右縦枠１１ｂの上端部と連結される構造も同様である。なお、図５では、枠体を保持固定する梁や、各免震部材１２６１，１２６２、１１５１，１１５２及び樋部材１２２，１１２等は省略して示している。
【００４４】
また、図３及び図５において、上枠１２全体が箱体状に形成され、上外枠１２１はその箱体状の枠体の一部であると説明したが、上枠１２の本体が開口部を有する断面Ｕ字状をなしていて、上外枠１２１は、切り欠き部１２１ｂを形成しつつ、その上面開口部を覆うカバーとなるように構成しても良い。これは、左右の縦枠１１ａ，１１ｂにおいても同様である。
【００４５】
以上説明のように、上記第１の実施例による本発明のエレベータの三方枠は、第１の免震部材１５１，１５２に加え、左右の縦枠１１ａ，１１ｂ及び上枠１２における、第２，第３の各免震部材１２６１，１２６２、１１６１，１１６２の作用が加わるので、たとえ各枠体は連結された床の構造体や側壁との間における動き量に差異があっても、これら免震部材がその差を吸収し、相互間で発生する軋みや衝突を緩和あるいは回避することができる。
【００４６】
従って、たとえ側壁２が損傷を受けやすいガラス板であったとしても、その側壁２の破損を軽減ないしは回避されるので、破損したガラス片等で乗場階に居るエレベータの利用者が怪我をするのを軽減ないしは回避できる。
【００４７】
上記第１の実施例は、三方枠１の縦枠１１ａ，１１ｂの下端部で床５との間に第１の免震部材１５１，１５２を介在させるとともに、上枠１２と側壁２との間で、側壁２の前後方向に各免震部材１２６１，１２６２，１１６１，１１６２等を介在させることで、建物の揺れに基づく三方枠１と側壁２との間の相対的なずれ量を吸収させたが、上枠１２と側壁２との間で、側壁２の上下左右方向に免震部材を介在させても、同様に三方枠１及び側壁２の損傷や破壊を回避させることができる。
【００４８】
上枠１２と側壁２との間で、側壁２の上下左右方向に免震部材を介在させた本発明によるエレベータの三方枠の第２の実施例を、図１に加え、図６及び図７を参照して説明する。
【００４９】
図６及び図７は、第１の実施例を示した図３及び図４に対応した図で、第１の実施例との相違点のみを説明する。
【００５０】
図６において、上枠１２の樋部材１２２は、免震部材１２６３を介して枠体底部の固定金具１２５３に取り付け固定され、図７において、左縦枠１１ａの樋部材１１２は、免震部材１１６３を介して枠体右底部の固定金具１１５３に取り付け固定されている。
【００５１】
従って、この第２の実施例によれば、各免震部材１２６３，１１６３の圧縮及び伸張方向である上下及び左右方向の揺れに対する効果的な免震はもとより、前後左右に対する免震が得られ、第１の実施例と同様に、第１の免震部材１５１，１５２の作用に加えた免震効果により、三方枠１及びこれに連結されるガラス板等からなる側壁２の損傷や破壊を軽減ないしは回避できる。
【００５２】
なお、上記各実施例では、三方枠１と側壁２との連結部において、免震部材を前後あるいは上下方向、または前後あるいは左右方向という、いずれも直交するいずれか一方に免震部材を介在させたが、これらを組み合わせて直交する双方に免震部材を介在させ、より全方位的に効果的な免震作用を得るようにしても良い。
【００５３】
以上説明のように、本発明のエレベータの三方枠によれば、縦枠の下端部あるいは縦枠，上枠等の枠体と側壁との間に、免震部材を介在させたことにより、地震等によりエレベータが設置されたビル等の建物が揺れたとしても、三方枠と側壁との間の衝突は軽減ないしは回避され、三方枠や側壁の損傷や破損を回避できる。
【００５４】
従って、外壁にガラス板を採用して、エレベータの出入口から見通しの良いビル等に設置されたエレベータの三方枠では、比較的壊れやすいガラス板の地震等による破損等が回避されるので、安全性に優れた出入口装置を提供することができる。
【図面の簡単な説明】
【００５５】
【図１】本発明によるエレベータの三方枠の第１及び第２の実施例を乗場階に設置した状態を示す一部切り欠き正面図である。
【図２】図１に示した三方枠におけるＡ−Ａ線矢視拡大断面図である。
【図３】図１に示した三方枠の第１の実施例に係るＸ−Ｘ線矢視拡大断面図である。
【図４】図１に示した三方枠の第１の実施例に係るＹ−Ｙ線矢視拡大断面図である。
【図５】図１に示した三方枠の上枠と左縦枠との間の連結構造を説明した分解斜視図である。
【図６】図１に示した三方枠の第２の実施例に係るＸ−Ｘ線矢視拡大断面図である。
【図７】図１に示した三方枠の第２の実施例に係るＹ−Ｙ線矢視拡大断面図である。
【図８】従来のエレベータの三方枠を乗場階に設置した状態を示す斜視図である。
【図９】図８における三方枠のＸ−Ｘ線矢視拡大断面図である。
【符号の説明】
【００５６】
１  三方枠
１１ａ  （左）縦枠
１１ｂ  （右）縦枠
１１１ｂ  切り欠き部
１１２  樋部材
１１５１，１１５２  取付金具
１１５３  固定金具
１１６１，１１６２  第３の免震部材
１１６３  免震部材
１２  上枠
１２１ｂ  切り欠き部
１２２  樋部材
１２５１，１２５２  取付金具
１２６１，１２６２  第２の免震部材
１２６３  免震部材
１３  受け台
１４ａ，１４ｂ  シール部材
１５１，１５２  第１の免震部材
１５ａ  ゴム部材
２  側壁
５  床
【図１】
2005247448.tif 000003
【図２】
2005247448.tif 000004
【図３】
2005247448.tif 000005
【図４】
2005247448.tif 000006
【図５】
2005247448.tif 000007
【図６】
2005247448.tif 000008
【図７】
2005247448.tif 000009
【図８】
2005247448.tif 000010
【図９】
2005247448.tif 000011